(57)【特許請求の範囲】
【請求項１】
水道水を通すホースに一端が接続するとともに他端に開口を形成したヘッド部を有し、内部に水道水を通す流路を備え、手により把持される本体と、
前記ヘッド部の内部に固定される中央に流路となる穴が穿設された底板と、
前記底板に載置され内部にマイクロバブル生成流路を形成したマイクロバブル生成器と、
前記底板と前記マイクロバブル生成器の間に位置し前記水道水を旋回させ流速を上げる偏芯穴を備えるトルネードプレートと、
前記マイクロバブル生成器を収納した上で前記底板とともに前記ヘッド部内に固定される押さえ板と、
前記ヘッド部の開口側に嵌められ内部に前記マイクロバブル生成器を収納する筒状のキャップと、
からなり、
前記底板が、
円盤状の底部と、前記底部の上面に立設し中央に前記流路となる穴を備え内部に段差部を有する筒状の内縁と、前記底部の外周に立設した外縁とからなり、
前記内縁と前記外縁の間に前記押さえ板の端部が位置するとともに、前記流路となる穴内に前記トルネードプレートが嵌められ、前記段差部で前記トルネードプレートを係止することを特徴とする散水板を備えることなく、使用者がシャワー体感を得られるシャワーヘッド。
【請求項２】
前記キャップの長さが、
前記マイクロバブル生成器の長さより長いことを特徴とする請求項１に記載の散水板を備えることなく、使用者がシャワー体感を得られるシャワーヘッド。
【請求項３】
前記マイクロバブル生成器が、
前記押さえ板の穴内に収納され、前記水道水の入口側端部から中心部にいくにしたがって内径が徐々に狭まる第一流路を備え、外周面には端部側に第二凸条、前記第二凸条より中心側に第一凸条を備え、前記第二凸条と前記第一凸条の間が窪んだ溝となる第一筒部と、
前記第一流路に接続する第二流路を備える第二筒部と、
前記第二流路に接続し出口側他端に向け内径が徐々に広がり端部が水道水をシャワー状に吐出させる噴出口となる第三流路を備える第三筒部とからなり、
前記第一凸条が前記押さえ板内に係止され、前記溝にパッキンを備え、
前記押さえ板と前記マイクロバブル生成器との隙間をシールすることを特徴とする請求項１に記載の散水板を備えることなく、使用者がシャワー体感を得られるシャワーヘッド。
【請求項４】
前記トルネードプレートが、
前記マイクロバブル生成器の第二凸条端部で押圧され、位置固定されることを特徴とする請求項３に記載の散水板を備えることなく、使用者がシャワー体感を得られるシャワーヘッド。
【発明の詳細な説明】
【技術分野】
【０００１】
本発明は、水道水からマイクロバブルを発生させるとともに、マイクロバブルを発生させる構造により、散水板を備えなくてもシャワー体感を得られる、シャワーヘッドに関する。
【背景技術】
【０００２】
マイクロバブルについての研究は、１９８５年頃からスタートした。マイクロバブルは、新しい技術分野であるため、解明されていない点も多い。現在、マイクロバブルについて以下の２つの現象が知られている。
【０００３】
一つ目は、マイクロバブルのサイズが小さいことから繊維の網目や毛穴などの奥まで入り込み汚れを押し出す現象である。
【０００４】
二つ目は、水中に吐出されたマイクロバブルが水中で、水圧に押され、さらに小さなナノバブルとなっていく現象である。マイクロバブルは液中において、３０〜６０秒程度で消滅あるいはナノバブルとなっていくが、ナノバブルとなったバブルは数時間から数日間、液中に滞留するといわれている。
【０００５】
三つ目は、圧壊である。圧壊は、マイクロバブルが水中に吐出されることで、水中の水圧に押しつぶされ、マイクロバブルよりもさらに小さなナノバブルとなり、やがてナノバブルの内部気圧が３００気圧程度になり、破壊される現象である。この圧壊が起きる時に、時速約４００キロ前後の超音波が発生し、５５００度近い高熱を発すると言われている。そして、この２つの現象の相乗効果により、汚れなどが取れやすくなると言われている。
【０００６】
ここで、マイクロバブルを発生させる手段として、高速せん断方式、加圧圧壊方式、キャビテーション方式など、６種類ほどが知られている。その多くが、アスピレータ方式などで、外部から空気を吸引している。或いは、強制注入している。
【０００７】
他方、散水板を備えないシャワーヘッドとしては、特許文献１が公開されている。特許文献１は、発明者の特許出願であり、散水板が無くても快適なシャワー体感が得られるようなスプレー状の散水が確保され、シャワーホースの先に取り付けることのできる吐水口部であって、ゴムホースの原理を応用して、通水路を絞って流速を速めるが、その前にさらに、流速が速くなるように、通水路の入口部に流水に旋回流を発生させるための部材を組み込み、水流にひねりを加えながら徐々に狭くなっていく通水路の狭隘部でさらに流速を速め、その流水を吐水口部において、急激にスプレー状に吐水させることにより、散水板がなくても快適なシャワー体感を確保することができるようにしたシャワーの吐水口を開示している。
【０００８】
特許文献１においても、散水板を備えない構造を示しているが、マイクロバブルについて開示されておらず、また、ホース先端に、単に第一部品、第二部品からなる筒状物を接続したのみで、一般的なシャワーヘッドの形状でないため、シャワーヘッドとして把持しづらく、さらに筒状物による頭部への衝突による怪我、落下による筒状物の破損等が懸念される。
【先行技術文献】
【特許文献】
【０００９】
【特許文献１】特開２０１１−１８３１２５号公報
【発明の概要】
【発明が解決しようとする課題】
【００１０】
そこで、本発明は、マイクロバブルを効果的に発生させるとともに、シャワー体感可能な把持しやすい散水板を備えなくてもシャワー体感を得られるシャワーヘッドを提供することを目的とするものである。
【課題を解決するための手段】
【００１１】
本発明は、上記課題を解決するために、
（１）
水道水を通すホースに一端が接続するとともに他端に開口を形成したヘッド部を有し、内部に水道水を通す流路を備え、手により把持される本体と、
前記ヘッド部の内部に固定される中央に流路となる穴が穿設された底板と、
前記底板に載置され内部にマイクロバブル生成流路を形成したマイクロバブル生成器と、
前記底板と前記マイクロバブル生成器の間に位置し前記水道水を旋回させ流速を上げる偏芯穴を備えるトルネードプレートと、
前記マイクロバブル生成器を収納した上で前記底板とともに前記ヘッド部内に固定される押さえ板と、
前記ヘッド部の開口側に嵌められ内部に前記マイクロバブル生成器を収納する筒状のキャップと、
からなることを特徴とする散水板を備えなくてもシャワー体感を得られるシャワーヘッド。
（２）
前記キャップの長さが、
前記マイクロバブル生成器の長さより長いことを特徴とする（１）に記載の散水板を備えなくてもシャワー体感を得られるシャワーヘッド。
（３）
前記マイクロバブル生成器が、
前記押さえ板の穴内に収納され、前記水道水の入口側端部から中心部にいくにしたがって内径が徐々に狭まる第一流路を備え、外周面には端部側に第二凸条、前記第二凸条より中心側に第一凸条を備え、前記第二凸条と前記第一凸条の間が窪んだ溝となる第一筒部と、
前記第一流路に接続する第二流路を備える第二筒部と、
前記第二流路に接続し出口側他端に向け内径が徐々に広がり端部が水道水をシャワー状に吐出させる噴出口となる第三流路を備える第三筒部とからなり、
前記第一凸条が前記押さえ板内に係止され、前記溝にパッキンを備え、
前記押さえ板と前記マイクロバブル生成器との隙間をシールすることを特徴とする（１）又は（２）に記載の散水板を備えなくてもシャワー体感を得られるシャワーヘッド。
（４）
前記底板が、
円盤状の底部と、前記底部の上面に立設し中央に前記流路となる穴を備え内部に段差部を有する筒状の内縁と、前記底部の外周に立設した外縁とからなり、
前記内縁と前記外縁の間に前記マイクロバブル生成器の端部を位置させるとともに、前記流路となる穴内に前記トルネードプレートを嵌め、前記段差部で係止することを特徴とする（１）〜（３）の何れか１項に記載の散水板を備えなくてもシャワー体感を得られるシャワーヘッド。
（５）
前記トルネードプレートが、
前記マイクロバブル生成器の第二凸条端部で押圧され、位置固定されることを特徴とする（１）〜（４）の何れかに記載の散水板を備えなくてもシャワー体感を得られるシャワーヘッド。
とした。
【００１２】
以前から、ベルヌーイの法則にあるように絞り込んだ流水路を徐々に開放することでキャビテーションが起こることは分かっていた。しかし、そのような装置は一般家庭の水道管の給水管径、給水圧の条件のもとでは期待した量のマイクロバブルの発生を引き起こすことができるとは考えられていなかったためか、製品化されていなかった。
【００１３】
さらに、一般家庭の水道管径１３ｍｍ、給水圧力０．１ＭＰａを条件とすると、マイクロバブルを発生させるためには、外部から空気を取り込んだり、圧力を加えたりする必要があると考えられていた。
【００１４】
一般的な水道水からマイクロバブルを発生させるためには、給水管や内部配管の管路のどこかに、入口側から円錐状に内径が絞り込まれた後で徐々に開放されるように、その絞り込まれた管路が再び円錐状に広がっていくマイクロバブル生成路を形成し、そこへ旋回流となった水道水を通すことでキャビテーションを発生させ、その陰圧を利用してマイクロバブルを発生させる方法で検討した。
【００１５】
その結果、水道管径１５Ａ（１３ｍｍ）、給水圧０．１ＭＰａ程度、空気を含有した一般的な水道水という条件で、円錐と円錐の各々の先端部分をつないだ形状にすることでマイクロバブルの発生が確認できた。そこで、特許文献１の発明が完成した。なお、この時、マイクロバブル生成路の形状は上下対称である必要はない。さらに、特許文献１の発明を発展させ、本件発明を完成させるに至ったものである。
【００１６】
検討で使用したマイクロバブル生成路は、黄銅製の切削加工品を利用したが、精度が確保できるなら樹脂や各種金属あるいはセラミックなどで作っても良い。また、ラッパ状の筒を二本つくり、それぞれのラッパの吹き口部分で接続してもよい。また、ラッパ状の構造を形成して給水管へネジ接続しても良い。さらには、給水管と一体で作ってもよい。また、給水管の一部分を絞り込んでマイクロバブル生成路を形成してもよい。いずれにしても、マイクロバブル生成路を備えればよい。
【００１７】
一般的な水道管においても、径の異なる給水管やエルボを繋いだ場合などには、接続箇所で乱流などが発生し、キャビテーションにより気泡が発生することもあると思われるが、単なる給水配管の接続段差などではマイクロバブルの発生量も少なく、気泡の直径も大きいと思われる。水道管内に意図的にマイクロバブル発生流路を設けることで、初めて期待される量と直径のマイクロバブルの発生が確認できる。
【００１８】
マイクロバブル生成器６におけるマイクロバブル生成路においては、給水圧が高くなるとマイクロバブルの発生量も増加する。しかしながら、一般家庭における水道管の圧力（０．１〜０．５ＭＰａ程度）であっても、マイクロバブル生成器６であれば十分な量と直径のマイクロバブルを確認できる。マイクロバブル生成器を導入する送液管の径が太ければ、圧力を高め、送液管の管径が細ければ圧力を低くすることもできる。また、液流体の圧力は、０．１〜０．１５Ｍｐａの低圧、０．４〜０．５ＭＰａ程度の高圧でも十分マイクロバブルを生成することができる。
【００１９】
ここでは、一般的な水道水でのマイクロバブルの生成について記述しているが、送液管の中を流れる液体は水道水に限定されない。
【００２０】
送液管を流れる液体の空気含有量が少ない場合はマイクロバブルの発生量は減少する。また、送液管の中を流れる液体が気体を含有していない場合は、マイクロバブルは発生しない。それらの場合でも、マイクロバブル生成器に液体が通過する手前で、液体に気体を混入させることでマイクロバブルを生成することのできる液体とすることも可能である。
【００２１】
また、給水の温度が高くなると、含有空気量は減少するものの、含有空気（溶存空気）の状態が不安定になるためであるか、ある一定温度近辺でのマイクロバブルの生成量は増加する。また、温水と冷水を混合すると、一層マイクロバブルが生成する。例えば、温水６０℃、冷水１０℃をミックスした４０℃混合水などが好適である。
【００２２】
また、本発明であるマイクロバブル生成器６におけるマイクロバブル生成路において、給水中に含まれる含有空気の量によってもマイクロバブルの生成量は影響される。しかしながら、一般家庭に供給されている水道水（通常以上に加圧、空気注入などしていない、空気を自然溶解している状態の水道水）であっても、十分な量と直径のマイクロバブルを確認することができる。
【発明の効果】
【００２３】
本発明は、従来のシャワーヘッドと同様に把持部２ａを備えるため把持し易い。ヘッド部２ｅに、底板３及び押さえ板５で、マイクロバブル生成器６を固定するため、組み立てが容易である。マイクロバブル生成器６を備えるため、水道水からマイクロバブルを生成させることができる。トルネードプレート４及びマイクロバブル生成器６の形状によって、噴出口６ｍからの噴射水はシャワー或いはスプレー状に噴射される。散水板がないため、散水板の穴の目詰まりの心配がなく、シャワー感を得られる。
【００２４】
従来のシャワーヘッドは散水板がないと、シャワー状にならないため、散水板を取り付けていたが、散水板の穴に汚れなどが詰まり、メンテナンスの必要があった。特に、不特定多数の方が利用する大浴場のシャワーでは、散水板の詰まりは施設メンテナンスにとって負荷の大きなものであった。散水板が不要なシャワーヘッドはそのような負担を軽減する重要な要素である。
【００２５】
本発明のシャワーヘッドは、マイクロバブル生成路の入口付近で流入水を旋回流とすることで、ラッパ状に広がったマイクロバブル生成路から吐水が回転しながらスプレー状に広がる。これにより、散水板がなくても、快適なシャワー体感が確保でき、散水板による吐水の圧損をなくして、低水圧の場合でも従来以上の強いシャワー体感を獲得することが可能となる。
【００２６】
市場では、散水板による圧損でのシャワー体感の減少を向上させるため、散水板の穴を細くして、シャワースピードを増して、シャワー体感を向上させている製品もあるが、穴を細くすることにより目詰まりが多くなるデメリットがある。
【００２７】
ただし、元々、給水給湯圧の強いシャワーでは散水板がないとシャワー体感が痛く感じることもあり、散水板の取り付けも可能な構造としてある。散水板は、キャップの端部に螺合、或いは嵌着させればよい。
【００２８】
キャップ７を備え、マイクロバブル生成器６全体がキャップ７内に収納されることで、頭部への怪我、マイクロバブル生成器６の落下等による破損を防止することができる。
【００２９】
また、パッキン５ｍ、６ｋを備えることで、マイクロバブル生成器６との隙間をシールし、水道水の全量をマイクロバブル生成器６に通すことができ、流路の送液圧力の損出を防ぐことができる。
【図面の簡単な説明】
【００３０】
【図１】本発明である散水板を備えないシャワーヘッドの斜視図である。
【図２】図１のＡ−Ａ‘断面図である。
【図３】図１のＢ−Ｂ‘拡大断面図である。
【図４】図１のＣ−Ｃ‘拡大断面図である。
【図５】図５（Ａ）は本体の正面図、（Ｂ）は本体の背面図、（Ｃ）は右側面図である。
【図６】図６（Ａ）は図５のＡ−Ａ‘断面図、図６（Ｂ）は図５のＢ−Ｂ‘断面図である。
【図７】図７（Ａ）は底板の正面図、（Ｂ）は背面図、（Ｃ）は正面斜視図、（Ｄ）は背面斜視図、（Ｅ）は（Ａ）のＡ−Ａ‘断面図である。
【図８】図８（Ａ）はトルネードプレートの正面図、（Ｂ）は斜視図、（Ｃ）は（Ａ）のＡ−Ａ‘断面図である。
【図９】図９（Ａ）は左側面図、（Ｂ）は正面図、（Ｃ）は背面図、（Ｄ）は（Ａ）のＡ−Ａ‘断面図である。
【図１０】図１０（Ａ）は正面斜視図、（Ｂ）は背面斜視図である。
【図１１】図１１（Ａ）は正面図、（Ｂ）は背面図、（Ｃ）は左側面図、（Ｄ）は（Ａ）のＡ−Ａ‘断面図である。
【図１２】図１２（Ａ）は正面図、（Ｂ）は背面図、（Ｃ）は左側面図、（Ｄ）は（Ａ）のＡ−Ａ‘断面図、（Ｅ）は正面斜視図、（Ｆ）背面斜視図である。
【発明を実施するための形態】
【００３１】
以下、添付図面に基づき本発明について詳細に説明する。なお、本発明は下記実施例に限定されるものではない。
【実施例１】
【００３２】
図１−１２に示すように、本発明である散水板を備えなくてもシャワー体感を得られるシャワーヘッド１は、本体２と、底板３と、トルネードプレート４と、押さえ板５と、マイクロバブル生成器６と、キャップ７とからなる。ただし、底板３とトルネードプレート４、及び押さえ板５とマイクロバブル生成器６とはそれぞれ一体で成形しても良い。
【００３３】
他方、それらの部品を、別体、組み立て式とすれば、水道圧により、好適な螺旋角度のトルネードプレート４への変更、マイクロバブル生成器の流路を変更するだけで、その他の部品は共通にできるので、製造コストを押さえ、汎用性の高いマイクロバブル生成シャワーヘッドを提供することができる。
【００３４】
本体２は、主に図５、６に示すように、手の把持に適した把持部２ａと、把持部２ａの一端の水道水を流すホース（図示省略）に螺合接続する第一ネジ部２ｄと、把持部２ａの他端に把持部２ａに対して略直角に屈曲して開口２ｆを備えるとともに外周に第二ネジ部２ｋを備えるヘッド部２ｅと、第一ネジ部２ｄの端部から把持部２ａ、ヘッド部２ｅの内部を通り開口２ｆまで挿通する流路２ｉと、ヘッド部２ｅの底部から突出し内部にネジ穴２ｈを備える複数本の突起２ｇとからなる。
【００３５】
第一ネジ部２ｄにはパッキン２ｍが嵌められ、ホースとの接続部をシールする。把持部２ａは、把持に適し、滑止ともなる凹凸部２ｂ、２ｃを備える。
【００３６】
底板３は、主に図７に示すように、ヘッド部２ｅの突起２ｇの上に載置され、突起２ｇのネジ穴２ｈに対応する貫通孔３ｃを備える円盤状の底部３ａと、底部３ａの上面に立設し中央に流路３ｂを備え内部に上側が広く下側が狭い段差部３ｉを有する筒状の内縁３ｇと、底部３ａの外周に立設した外縁３ｈとからなる。
【００３７】
底部３ａの上面の貫通孔３ｃの左右には、突起３ｄが突出して底部３ａの強度を保つ。さらに、底部３ａの底面には内縁３ｇの底部を円形に囲う第一突条３ｅ、第一突条３ｅに接続するとともに貫通孔３ｃをＵ字状に囲む第二突条３ｆが隆起し、成型後、金型から底板３を型抜きする際の底部３ａの歪みを防止する。
【００３８】
底板３の段差部３ｉより上側の広い径の部分にトルネードプレート４が収納され、段差部３ｉで係止された上で、底部３ａの上面の内縁３ｇと外縁３ｈの間の底部３ａには、図３、４等に示すように、押さえ板５がマイクロバブル生成器６を装着して嵌められ、留具２ｎでヘッド部２ｅの内部の突起２ｇに固定される。
【００３９】
トルネードプレート４は、主に図８に示すように、円盤状の本体４ａと、本体４ａを上下に貫通し水道水に回転を加え旋回流にさせ流速を上げるため、例えば１５°偏芯した４つの穴４ｂとからなる。本体４ａは、例えば、樹脂などを成型して作ることができる。トルネードプレート４は、底板３の内縁３ｇ内の段差部３ｉに係止され底板３内に嵌められる。
【００４０】
押さえ板５は、主に図９、１０に示すように、底板３の貫通孔３ｃ及びヘッド部２ｅの突起２ｇのネジ穴２ｈに対応した貫通穴５ｂ、中央に穴５ｄを備える円盤状のプレート部５ａと、プレート部５ａの上面の中央に立設し内部に穴５ｄ及び第一内段差部５ｉを備える筒部５ｃと、プレート部５ａの底面の穴５ｄ周辺に第二内段差部５ｋを形成して立設した内縁５ｅと、プレート部５ａの底面の外周に段差部５ｇ形成して立設した外縁５ｆと、外縁５ｆと同じ高さまで突出した貫通穴５ｂ周辺に立設した凸条５ｈとからなる。凸条５ｈは貫通穴５ｂを形成し、その周辺の強度確保として機能する。
【００４１】
第一内段差部５ｉには、図３、４に示すように、マイクロバブル生成器６の第一凸条６ｇが係止される。第二内段差部５ｋは、図３、４に示すように、底板３の内縁３ｇが係止される。内縁５ｅ及び外縁５ｆは、底板３の底部３ａに嵌る。段差部５ｇには、図３、４に示すように、パッキン５ｍが嵌り、押さえ板５とヘッド部２ｅとの隙間をシールする。
【００４２】
マイクロバブル生成器６は、主に図１１に示すように、押さえ板５の穴５ｄ内に収納され、水道水の入口側端部から中心部にいくにしたがって内径が徐々に狭まる第一流路６ｂを備え、外周面には端部側に第二凸条６ｈ、第二凸条６ｈより中心側に第一凸条６ｇを備え、第二凸条６ｈと第一凸条６ｇの間が窪んだ溝６ｉとなる第一筒部６ａと、第一流路６ｂに接続する第二流路６ｄを備える第二筒部６ｃと、第二流路６ｄに接続し出口側他端に向け内径が徐々に広がり端部が水道水をシャワー状に吐出させる噴出口６ｍとなる第三流路６ｆを備える第三筒部６ｅとからなる。
【００４３】
図３、４に示すように、第一凸条６ｇは、押さえ板５の第一内段差部５ｉに係止され、溝６ｉにはパッキン６ｋが嵌められ、押さえ板５とマイクロバブル生成器６との隙間をシールする。
【００４４】
第二凸条６ｈにはトルネードプレート４が係止され、留具２ｎで、押さえ板５をヘッド部２ｅの突起２ｇのネジ穴２ｈに固定することで、マイクロバブル生成器６及びトルネードプレート４が位置固定される。
【００４５】
トルネードプレート４及びマイクロバブル生成器６の形状に伴い、噴出口６ｍから吐出された水道水は、散水板がなくとも、シャワー状或いはスプレー状になり、利用者は、一般的なシャワー水と同様なシャワー感を得ることができる。
【００４６】
キャップ７は、主に図１２に示すように、内部空洞７ｅで両端が開口７ｃ、７ｄしたシャワー噴出側が狭い筒状の本体７ａと、反噴出側の一端の内部に設けられたネジ部７ｂと、噴出側の外側に設けられたネジ部７ｆとからなる。
【００４７】
ネジ部７ｂは、図３、４に示すように、本体２のヘッド部２ｅの第二ネジ部２ｋに螺合し、内部空洞７ｅにマイクロバブル生成器６を収納する。キャップ７の長さは、マイクロバブル生成器６よりも長い。これによりマイクロバブル生成器６が、頭部に当たり怪我することを防ぎ、床などにぶつかり破損することを防ぐ。
【００４８】
このようにしてなる散水板を備えなくてもシャワー体感を得られるシャワーヘッド１は、把持しやすく、また、水道水に外部から空気を吸引、注入されることなく、また水道水を高圧に加圧することなく、その他マイクロバブル生成のための特別な処理をすることなく、水道水からマイクロバブルを発生させるとともに、また組み立てが容易で、シャワー体感可能な散水板を備えなくてもシャワー体感を得られるシャワーヘッドとなる。
【００４９】
本願シャワーヘッドの構造は散水板を備えなくてもシャワー体感を得られることができることを特徴としているが、給水給湯圧が高い場合や、もっと優しいシャワー体感が必要に場合を想定して、散水板を取り付けることも可能な構造としてある。
【００５０】
なお、シャワー圧の低減を図るとともに、散水板ではなく、メッシュ状の網などをキャップ７の先端部に螺合等で着脱可能に固定することもできる。例えば、線径２０、４０ピッチのメッシュ状の網を取り付ければシャワーが線状ではなく、水玉状となって吐水され、快適なマイクロバブルのシャワー圧が得られる。このような、メッシュ状の網を通常はシャワーヘッドの散水板とはいわない。
【符号の説明】
【００５１】
１    散水板を備えなくてもシャワー体感を得られるシャワーヘッド
２    本体
２ａ  把持部
２ｂ  凹部
２ｃ  凸部
２ｄ  第一ネジ部
２ｅ  ヘッド部
２ｆ  開口
２ｇ  突起
２ｈ  ネジ穴
２ｉ  流路
２ｋ  第二ネジ部
２ｍ  パッキン  
２ｎ  留具
３    底板      
３ａ  底部
３ｂ  流路
３ｃ  貫通孔
３ｄ  突起
３ｅ  第一突条
３ｆ  第二突条
３ｇ  内縁
３ｈ  外縁
３ｉ  段差部
４    トルネードプレート
４ａ  本体
４ｂ  穴
５    押さえ板
５ａ  プレート部
５ｂ  貫通穴
５ｃ  筒部
５ｄ  穴
５ｅ  内縁
５ｆ  外縁
５ｇ  段差部
５ｈ  凸条
５ｉ  第一内段差部
５ｋ  第二内段差部
５ｍ  パッキン
６    マイクロバブル生成器
６ａ  第一筒部
６ｂ  第一流路
６ｃ  第二筒部
６ｄ  第二流路
６ｅ  第三筒部
６ｆ  第三流路
６ｇ  第一凸条
６ｈ  第二凸条
６ｉ  溝
６ｋ  パッキン
６ｍ  噴出口
７    キャップ
７ａ  本体
７ｂ  ネジ部
７ｃ  開口
７ｄ  開口
７ｅ  空洞
７ｆ  ネジ部
【図１】
0006358613.tif 000002
【図２】
0006358613.tif 000003
【図３】
0006358613.tif 000004
【図４】
0006358613.tif 000005
【図５】
0006358613.tif 000006
【図６】
0006358613.tif 000007
【図７】
0006358613.tif 000008
【図８】
0006358613.tif 000009
【図９】
0006358613.tif 000010
【図１０】
0006358613.tif 000011
【図１１】
0006358613.tif 000012
【図１２】
0006358613.tif 000013